(57)【要約】【課題】再生可能エネルギを利用した発電設備が連係する電力系統における瞬時電圧低下などの系統事故の発生時にも、安全に運転することができるガスタービン発電設備を提供する。【解決手段】空気を圧縮する圧縮機と、圧縮機から導入される圧縮空気と燃料とを混合燃焼させて燃焼ガスを生成する燃焼器と、燃焼器で生成された燃焼ガスにより駆動されるタービンとからなるガスタービンと、ガスタービンにより駆動される発電機と、発電機の電気出力を変換して送電する電力変換器と、ガスタービンの回転数と出力とを予め設定した設定値に制御すると共に、ガスタービン発電設備の担う前記電力系統の負荷が消失した場合に、上昇するガスタービンの回転数が制限値以下となるように、ガスタービンの回転数の設定値を設定する第１制御装置と、電力変換器の出力である送電電力を制御する第２制御装置とを備えた。【選択図】  図１
2014118927.tif 000002
【特許請求の範囲】
【請求項１】
再生可能エネルギを利用した発電設備が連係する電力系統に電力供給を行うガスタービン発電設備であって、
空気を圧縮する圧縮機と、前記圧縮機から導入される圧縮空気と燃料とを混合燃焼させて燃焼ガスを生成する燃焼器と、前記燃焼器で生成された燃焼ガスにより駆動されるタービンとからなるガスタービンと、前記ガスタービンにより駆動される発電機と、前記発電機の電気出力を変換して送電する電力変換器と、前記ガスタービンの回転数と出力とを予め設定した設定値に制御すると共に、前記ガスタービン発電設備の担う前記電力系統の負荷が消失した場合に、上昇する前記ガスタービンの回転数が制限値以下となるように、前記ガスタービンの回転数の設定値を設定する第１制御装置と、前記電力変換器の出力である送電電力を制御する第２制御装置とを備えた
ことを特徴とするガスタービン発電設備。
【請求項２】
請求項１記載のガスタービン発電設備において、
前記燃焼器へ供給する燃料の流量を調整する燃料流量調整弁を備え、
前記第１制御装置は、前記第２制御装置から前記ガスタービンの回転数指令と出力指令とを取込み、これらの指令を前記設定値に設定すると共に、これらの指令から前記燃料流量調整弁の開度指令を算出し出力し、前記燃料流量調整弁の開度を制御することで、前記燃焼器への燃料流量を調整する
ことを特徴とするガスタービン発電設備。
【請求項３】
請求項１または２記載のガスタービン発電設備において、
前記発電機の回転数を検出する回転数計と、
コンバータと直流コンデンサとインバータとを有する電力変換器と、
前記電力変換器の出力電圧を検出する第１計測用変圧器と、
前記電力変換器の出力電流を検出する計測用変流器と、
前記電力系統の電圧と周波数とを検出する第２計測用変圧器とを備え、
前記第２制御装置は、前記第１計測用変圧器と前記計測用変流器とから前記電力変換器の出力電圧と出力電流とを取込み、前記第２計測用変圧器から前記電力系統の電圧と周波数とを取込み、これらの信号を基に前記ガスタービンの回転数指令と出力指令とを算出し前記第１制御装置へ出力すると共に、前記電力変換器のインバータへ指令信号を出力することで、送電電力の電圧、電流、位相、周波数などの電力制御を行う
ことを特徴とするガスタービン発電設備。
【請求項４】
請求項３記載のガスタービン発電設備において、
前記第２制御装置は、前記第１制御装置へ出力する前記ガスタービンの出力指令を演算する負荷要求指令演算部と、前記第１制御部へ出力する前記ガスタービンの回転数指令を演算する回転数要求指令演算部と、前記電力変換器の前記インバータへの指令信号を算出して出力する変換器制御部とを備えた
ことを特徴とするガスタービン発電設備。
【請求項５】
請求項１乃至４のいずれか１項に記載のガスタービン発電設備において、
前記第１制御装置における前記ガスタービンの回転数の設定値を、前記ガスタービンの回転数の制限値より所定の回転数だけ低く設定した
ことを特徴とするガスタービン発電設備。
【請求項６】
請求項１乃至５のいずれか１項に記載のガスタービン発電設備において、
前記ガスタービンが高圧タービンと低圧タービンとを有する２軸式であって、前記低圧タービンと前記発電機とが同一の軸で連結されている
ことを特徴とするガスタービン発電設備。
【請求項７】
請求項１乃至６のいずれか１項に記載のガスタービン発電設備において、
前記第１制御装置と前記第２制御装置とが一体化した一の制御装置を構成し、前記一の制御装置が前記ガスタービン発電設備を制御する
ことを特徴とするガスタービン発電設備。
【発明の詳細な説明】
【技術分野】
【０００１】
本発明は、ガスタービン発電設備に係り、更に詳しくは、電力系統事故時の電圧低下や周波数変動が生じた場合でも安全に運転を継続可能とするガスタービン発電設備に関する。
【背景技術】
【０００２】
近年、風力、太陽光、地熱、バイオマス等の再生可能エネルギを利用した発電設備が注目されている。このような再生可能エネルギを利用した発電設備の多くは、インバータ等の電力変換器を用いて系統と連係している。電力変換器の電力制御は電子的に実施されるため、電力の増減を高速で制御できる。このため、例えば、電力系統の事故発生時に電力変換器が異常を検知すると速やかに送電を停止することができる。したがって、このような発電設備の比率が高まると、短時間の電圧低下が発生した場合であっても、電力系統への供給電力が急減するため、電力系統を不安定化してしまう。
【０００３】
このため、再生可能エネルギを利用した発電設備の多い欧州においては、系統連係の要件として、瞬時電圧低下などの系統擾乱が起きても、一斉に解列を起こさない能力（ＦＲＴ：Fault Ride Through  対応能力）の義務付けを検討している。
【０００４】
このような背景のもと、高負荷追従性に優れたガスタービン発電設備を併設することで、電力系統の品質を保持することが検討されている。しかし、ガスタービン発電設備は、系統事故時の電圧低下などの異常を検知すると、保護装置が遮断器を動作させて、系統から発電機を切り離すとともに、負荷の喪失による過速度を防止する制御が実行されている。このようなガスタービンとして、過速度回避装置を備えたものがある（例えば、特許文献１参照）。
【先行技術文献】
【特許文献】
【０００５】
【特許文献１】特開２００６−１８３６０８号公報
【発明の概要】
【発明が解決しようとする課題】
【０００６】
上述したように、従来のガスタービン発電設備においては、ＦＲＴ対応能力については、検討されていない。しかし、電力系統の電力品質保持の観点からは、再生可能エネルギを利用した発電設備のみならず、ガスタービン発電設備においても、ＦＲＴ対応能力を備えて運転を継続することが求められる。具体的には、系統電圧が低下あるいは消失した場合でも、系統との連係を一定時間継続して、系統が復旧しなかった場合にのみ解列させる運転が要求され得る。
【０００７】
本発明は、上述した事柄に基づいてなされたものであって、その目的は、再生可能エネルギを利用した発電設備が連係する電力系統における瞬時電圧低下などの系統事故の発生時にも、安全に運転することができるガスタービン発電設備を提供するものである。
【課題を解決するための手段】
【０００８】
上記課題を解決するために、例えば特許請求の範囲に記載の構成を採用する。本願は、上記課題を解決する手段を複数含んでいるが、その一例を挙げるならば、再生可能エネルギを利用した発電設備が連係する電力系統に電力供給を行うガスタービン発電設備であって、空気を圧縮する圧縮機と、前記圧縮機から導入される圧縮空気と燃料とを混合燃焼させて燃焼ガスを生成する燃焼器と、前記燃焼器で生成された燃焼ガスにより駆動されるタービンとからなるガスタービンと、前記ガスタービンにより駆動される発電機と、前記発電機の電気出力を変換して送電する電力変換器と、前記ガスタービンの回転数と出力とを予め設定した設定値に制御すると共に、前記ガスタービン発電設備の担う前記電力系統の負荷が消失した場合に、上昇する前記ガスタービンの回転数が制限値以下となるように、前記ガスタービンの回転数の設定値を設定する第１制御装置と、前記電力変換器の出力である送電電力を制御する第２制御装置とを備えたことを特徴とする。
【発明の効果】
【０００９】
本発明によれば、ガスタービン発電設備におけるガスタービンの通常運転時の回転数を上限値から十分に低く設定できるので、再生可能エネルギを利用した発電設備が連係する電力系統における瞬時電圧低下などの系統事故の発生時にも、過速度に到達しないで運転できる。このことにより、翼の損傷や寿命低下を防止し、ガスタービンを安全に運転できる。
【図面の簡単な説明】
【００１０】
【図１】本発明のガスタービン発電設備の第１の実施の形態を示す構成図である。
【図２】本発明のガスタービン発電設備の第１の実施の形態が連係する電力系統における発電設備のＦＲＴ対応の要否を示す特性図である。
【図３】本発明のガスタービン発電設備の第２の実施の形態を示す構成図である。
【発明を実施するための形態】
【００１１】
以下、本発明のガスタービン発電設備の実施の形態を図面を用いて説明する。
【実施例１】
【００１２】
図１は、本発明のガスタービン発電設備の第１の実施の形態を示す構成図である。図１において、ガスタービン発電設備１０は、大気から吸入した空気を圧縮する圧縮機１と、圧縮機から導入される圧縮空気と燃料とを混合燃焼させて高温高圧の燃焼ガスを生成する燃焼器２と、生成された燃焼ガスにより駆動するタービン３と、タービン３によって駆動される発電機４と、発電機４からの電力を変換する電力変換器５と、ガスタービンを制御する第１制御装置であるガスタービン制御装置６と、電力変換器５を制御する第２制御装置である電力変換器制御装置７とを備えている。
【００１３】
圧縮機１と発電機４はそれぞれタービン３と機械的に連結されている。発電機４の出力は電線を介して電力変換器５と接続されている。電力変換器５からの出力は、電線と遮断器８とを介して再生可能エネルギを利用した発電設備が連係する電力系統１００に供給されている。
【００１４】
電力変換器５は、交直変換器（コンバータ）５ａと直流コンデンサ５ｂと直交変換器（インバータ）５ｃとから構成されている。発電機４が発生した電力は、電力変換器５で電力系統１００における周波数と電圧と合致するように変換され、遮断器８を介して電力系統１００に供給される。
【００１５】
遮断器８と電力変換器５とを接続する電線上には、電力変換器５の出力電圧と出力電流を計測する第１計測用変圧器１１と計測用変流器１２とがそれぞれ設けられている。また、電力系統１００には、電力系統の周波数や電圧を計測するための第２計測用変圧器１３が設けられている。これら第１計測用変圧器１１，計測用変流器１２、及び第２計測用変圧器１３が検出した、電圧変換器５の電圧，電流、及び電力系統１００の電圧は、電力変換器制御装置７にそれぞれ入力されている。
【００１６】
また、ガスタービン発電設備１０は、燃焼器２へ供給される燃料の流量を調整する燃料流量調整弁９を備えている。燃料流量調整弁９は、ガスタービン制御装置６からの指令信号によりその開度が変更可能であり、燃焼器２に供給される燃料流量が調整されることで、ガスタービン発電設備１０の発電出力が調整される。燃料流量調整弁９と燃焼器２とを連結する配管には、燃料流量を計測する流量計２０が設けられている。流量計２０が検出した燃料流量の信号はタービン制御装置６へ入力されている。
【００１７】
また、タービン３と発電機４とを機械的に連結する回転軸には、発電機４の回転数を検出する回転数計２１が設けられている。回転数計２１が検出した発電機４の回転数信号は、第１制御装置であるタービン制御装置６と第２制御装置である電力変換器制御装置７とへ入力されている。
【００１８】
ガスタービン制御装置６は、後述する電力変換器制御装置７からガスタービンの出力指令である負荷要求値４２と、ガスタービンの回転数指令である回転数要求値４３と、送電電力信号２６とを入力し、流量計２０から燃料流量の信号と、回転数計２１から発電機４の回転数信号とをそれぞれ入力している。ガスタービン制御装置６は、これらの入力信号を基に、各種演算を行い、燃料流量調整弁９の開度指令を算出して出力し、燃料流量調整弁９の開度を制御することで、燃焼器２への燃料流量を調整している。この際、後述する過速度御防止の観点から定めた回転数要求値４３となるように、発電機４の回転数を制御する。
【００１９】
ガスタービン制御装置６は、例えば、ガスタービン発電設備１０の出力制御演算として、負荷要求値４２と送電電力信号２６との偏差がゼロとなるように燃焼器２への燃料流量を調整する負荷制御部６ａと、図示しない保護装置が系統の異常を検知した場合等にガスタービン出力を急速にゼロとなるように制御して、タービン３及び発電機４の過速度を防止する負荷遮断制御部６ｂとを備えている。
【００２０】
電力変換器制御装置７は、例えば、中央給電指令所（図示せず）からの負荷指令値４１（ＭＷＤ：:mega Watt Demand）と、回転数計２１から発電機４の回転数信号と、第１計測用変圧器１１，計測用変流器１２からの電圧変換器５の電圧，電流信号と、第２計測用変圧器１３からの電力系統１００の電圧と周波数信号とをそれぞれ入力している。電力変換器制御装置７は、これらの入力信号を基に、各種演算を行い、ガスタービン制御装置６へ送電電力信号２６と，負荷要求値４２と、回転数要求値４３とを出力すると共に、電力変換器５のインバータ５ｃへスイッチ素子のオンオフ信号を出力することで、送電電力の電圧、電流、位相、周波数などの電力制御を行う。
【００２１】
電力変換器制御装置７は、各種演算を行う演算部として、負荷要求指令演算部７ａと、変換器制御部７ｂと、回転数要求指令演算部７ｃとを備えている。
【００２２】
負荷要求指令演算部７ａは、後述する変換器制御部７ｂで算出した電力変換器５の送電電力信号２６と、中央給電指令所からの負荷指令値４１との偏差を算出し、ガスタービンの出力を調整してこの偏差をゼロとするために、負荷要求値４２をガスタービン制御装置６へ出力する。なお、電力系統１００における系統電圧の異常低下等の系統異常を検知した場合には、ガスタービンを負荷遮断制御に移行させるべく、負荷要求値４２をゼロとしてガスタービン制御装置６へ出力する。
【００２３】
変換器制御部７ｂは、入力信号である電圧変換器５の電圧，電流信号から電力変換器５の送電電力信号２６を算出すると共に、後述する回転数要求指令演算部７ｃで設定された回転数で回転する発電機４の出力を基に、適切な送電電力の電圧、位相、周波数などを実現するために、電力変換器５のインバータ５ｃへの指令信号を算出して出力する。
【００２４】
本実施の形態においては、送電電力の周波数と電圧を電力変換器５で制御するので、発電機４の回転数（タービン回転数と同じ）を電力系統の周波数に依らず任意の値に設定できる。変換器制御部７ｂは、発電機４の回転数に対応した発電機４の出力を基に、系統電力の周波数に対応した送電電力を生成する指令信号を算出している。
【００２５】
回転数要求指令演算部７ｃは、上述したように、発電機４の回転数を所定の値に設定すると共に、その設定した回転数要求値４３をガスタービン制御装置６へ出力する。ガスタービン制御装置６は、回転数要求値４３を受信後、この回転数要求値４３の速度一定となる回転数制御を実施する。なお、回転数要求指令演算部７ｃは、後述する負荷遮断許容回転数等を算出する演算部を備えている。
【００２６】
回転数要求指令演算部７ｃにおける回転数要求値４３の算出の一例について説明する。例えば、電力系統１００における系統事故によりガスタービン発電設備１０の負荷が消失した場合、ガスタービンの回転数は、瞬時最大速度まで上昇する。この瞬時最大速度が、ガスタービンの仕様から定まる最大許容回転数以下となるように、通常運転時のガスタービンの回転数を設定することができる。
【００２７】
系統事故による負荷消失における瞬時最大速度をガスタービンの最大許容回転数以下とする通常運転時の回転数（以下、負荷遮断許容回転数という）は、例えば、下記の演算式数１から求めることができる。
【００２８】
【数１】
2014118927.tif 000003
【００２９】
ここで、Ｉはガスタービンの慣性モーメント、ωmaxはガスタービンの最大許容回転数、ω１は負荷遮断許容回転数、Ｐは負荷遮断時のタービン軸出力、Δｔは燃料流量調整弁９の応答遅れ時間と燃料流量調整弁９が閉まり始めた時の燃料が配管を通って燃焼器２に供給されるまでの時間の和、Ｇはタービン入口ガス量、ΔＵはタービン熱落差である。
【００３０】
ガスタービンの通常運転時の回転数を、負荷遮断許容回転数ω１に制御することにより、系統事故による負荷消失時においても、瞬時最大速度をガスタービンの最大許容回転数ωmax以下とすることができる。このことにより、ガスタービンを安全に運転できる。
【００３１】
また、回転数要求値４３を負荷遮断許容回転数ω１より低く設定しても良い。このように設定すると、ガスタービン制御装置６の負荷遮断制御における燃料流量変化率を緩和することが可能となる。この結果、負荷遮断制御による燃焼器２の異常燃焼や失火の発生を防止できると共に、タービン翼の寿命低下を抑制することができる。
【００３２】
さらに、回転数要求指令演算部７ｃにおいて、ガスタービン発電設備１０の運転条件から発電効率が最大となる発電効率最大回転数を演算する手段と低値選択演算部とを備え、上述した負荷遮断許容回転数と発電効率最大回転数とのいずれか一方の低値をガスタービン制御装置６に回転数要求値４３として出力してもよい。このことにより、各負荷領域において最適な回転数で、ガスタービン発電設備１０の運転が可能となる。
【００３３】
ガスタービン制御装置６と電力変換器制御装置７とは、ハードウェア構成として、各種の制御プログラムを実行するための演算処理装置（例えば、ＣＰＵ）（図示せず）と当該制御プログラムをはじめとして各種データを記憶するために記憶装置（例えば、半導体メモリ（ＲＯＭ、ＲＡＭ）や、磁気記憶装置（ディスクドライブ）等）（図示せず）と、各種データが入出力される入出力装置（図示せず）を備えている。なお、ガスタービン制御装置６と電力変換器制御装置７とは、それぞれ別体である必要はなく、１つの制御装置で構成してもよい。
【００３４】
次に、上記構成の本発明のガスタービン発電設備の第１の実施の形態の動作を以下に説明する。  
まず、再生可能エネルギを利用した発電設備におけるＦＲＴ対応の動作について説明する。図２は本発明のガスタービン発電設備の第１の実施の形態が連係する電力系統における発電設備のＦＲＴ対応の要否を示す特性図である。
【００３５】
図２において、縦軸は系統電圧値を、横軸は時刻をそれぞれ示す。太字で示す特性は、ＦＲＴ対応を要求される系統電圧変化（ＦＲＴ規制線）であって、系統事故時にこの規制線よりも早く電源電圧が復旧した場合には、発電を継続することを要求される、電圧の時間変化を示すものである。時刻ｔ１は、電力系統１００の電圧異常が発生した時刻であって、例えば、落雷等によって電力系統１００の一部が短絡し、瞬間的な電圧低下が発生した時刻を示す。時刻ｔ２は、時刻ｔ１に瞬時電圧低下継続時間を加算した時刻を示す。時刻ｔ３は、時刻ｔ２から所定の電圧増加率で増加した系統電圧が定格の電圧値Ｖ１に到達する時刻を示す。
【００３６】
図２において、特性線ａは、一の系統事故における系統電圧の挙動を示し、特性線ｂは、他の系統事故における系統電圧の挙動を示している。特性線ａにおいては、時刻ｔ２から時刻ｔ３において、ＦＲＴ規制線より上方に位置している。これは、時刻ｔ２から時刻ｔ３において、系統電圧の復旧がＦＲＴ規制線より速やかになされたことを示す。この場合、ＦＲＴ対応の再生可能エネルギを利用した発電設備は、解列することなく電力系統にとどまることを要求される。
【００３７】
一方、特性線ｂにおいては、時刻ｔ２経過後も系統電圧が復旧せず、時刻ｔ２から時刻ｔ３において、ＦＲＴ規制線より下方に位置している。この場合、系統電圧が所定時間内に復旧しないことを示す。この場合には、ＦＲＴ対応の再生可能エネルギを利用した発電設備は、解列して電力系統から離脱する。
【００３８】
次に、本発明のガスタービン発電設備の第１の実施の形態におけるＦＲＴ対応の動作を説明する。  
図２に示す時刻ｔ１においては、電力変換器制御装置７が電力系統１００の系統電圧の低下を検知し、ガスタービンを負荷遮断制御に移行させるべく負荷要求値４２をゼロに設定して、ガスタービン制御装置６へ出力する。
【００３９】
一方、電力変換器制御装置７は、系統と連係中に過電流が発生しないように、電力変換器５に対して位相制御を行う。また、発電機４の周波数が回転数に応じた周波数から逸脱して脱調するのを防止するように、周波数制御を実施する。
【００４０】
図２に示す特性線ａのように系統電圧の復旧がＦＲＴ規制線より速やかになされた場合、電力変換器制御装置７は、直ちに系統電圧と周波数に応じた負荷要求値４２を、ガスタービン制御装置６へ出力して、ガスタービン発電設備１０の負荷出力制御に移行でき、電力系統１００への送電を直ちに再開することができる。この結果、電力供給復帰の迅速化が図れ、電力系統１００の安定化に寄与することができる。
【００４１】
上述した本発明のガスタービン発電設備の第１の実施の形態によれば、ガスタービン発電設備１０におけるガスタービンの通常運転時の回転数を上限値から十分に低く設定できるので、再生可能エネルギを利用した発電設備が連係する電力系統１００における瞬時電圧低下などの系統事故の発生時にも、過速度に到達しないで運転できる。このことにより、翼の損傷や寿命低下を防止し、ガスタービンを安全に運転できる。
【００４２】
また、上述した本発明のガスタービン発電設備の第１の実施の形態によれば、電力変換器５が電力系統１００への供給を制御するので、ＦＲＴ対応動作における系統事故時の解列を待機している間であっても、発電機４の過電流の発生と、系統への流出を防止できる。また、電力変換器５は周波数制御を行い、タービン回転数に対応した周波数と系統の周波数との偏差を制御するので、ガスタービン発電設備１０の脱調を防止することができる。
【００４３】
更に、上述した本発明のガスタービン発電設備の第１の実施の形態によれば、系統事故が短時間で解消して系統連係が持続していた場合、継続的に系統電圧と系統周波数に応じて送電することができる。この結果、電力供給復帰の迅速化が図れ、電力系統１００の安定化に寄与することができる。
【実施例２】
【００４４】
以下、本発明のガスタービン発電設備の第２の実施の形態を図面を用いて説明する。図３は本発明のガスタービン発電設備の第２の実施の形態を示す構成図である。図３において、図１及び図２に示す符号と同符号のものは同一部分であるので、その詳細な説明は省略する。
【００４５】
本発明のガスタービン発電設備の第２の実施の形態において、ガスタービン制御装置６、電力変換器制御装置７、発電機４、及び電力変換器５の構成は、大略第１の実施の形態と同じであるが、１軸式ガスタービンを２軸式ガスタービンとした点が異なる。
【００４６】
図３において、２軸式ガスタービンでは、タービン３を高圧タービン３１と低圧タービン３２とで構成している。高圧タービン３１は、圧縮機１と一の軸で機械的に連結されている。低圧タービン３２は発電機４と他の軸で機械的に連結されている。低圧タービン３２は、高圧タービン３１から排出される排ガスにより駆動される。
【００４７】
一般に、２軸式ガスタービンの低圧タービンは、１軸構成の１軸式ガスタービンと比較して、慣性モーメントが小さく、負荷遮断制御時に抵抗として働く圧縮機１が同一軸で連結されていないことから、負荷遮断などで発電機負荷が急減した場合、回転数上昇幅が大きくなる。したがって、本実施の形態による負荷遮断時の瞬時最大速度抑制効果は大きい。
【００４８】
上述した本発明のガスタービン発電設備の第２の実施の形態によれば、上述した第１の実施の形態と同様の効果を奏する。
【００４９】
また、上述した本発明のガスタービン発電設備の第２の実施の形態によれば、発電機４と同軸の低圧タービン３２の回転数を比較的自由に設定できる２軸式ガスタービンであるので、既存の２軸式ガスタービンをＦＲＴ動作対応型に改造する場合に、ガスタービンの改造は不要で、電力変換器５の追設、制御用機器と制御ロジックの追加等だけで容易に対応することができる。この結果、より少ないコストで電力系統１００の安定化に寄与することができる。
【００５０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。
【符号の説明】
【００５１】
１        圧縮機
２        燃焼器
３        タービン
４        発電機
５        電力変換器
５ａ      コンバータ
５ｂ      直流コンデンサ
５ｃ      インバータ
６        第１制御装置（ガスタービン制御装置）
７        第２制御装置（電力変換器制御装置）
７ａ      負荷要求指令演算部
７ｂ      変換器制御部
７ｃ      回転数要求指令演算部
８        遮断器
９        燃料流量調整弁
１０      ガスタービン発電設備
１１      第１計測用変圧器
１２      計測用変流器
１３      第２計測用変圧器
２１      回転数計
２６      送電電力信号
３１      高圧タービン
３２      低圧タービン
４２      ガスタービンの出力指令（負荷要求値）
４３      ガスタービンの回転数指令（回転数要求値）
１００    電力系統
【図１】
2014118927.tif 000004
【図２】
2014118927.tif 000005
【図３】
2014118927.tif 000006